(57)【要約】【課題】複数系統の光伝送路の両端に光伝送装置を接続した際、１系統の光伝送路における送信線と受信線の２本の光通信線について、自動的かつ個別に遮断・接続可能な光伝送路遮断接続装置を提供する。【解決手段】信号伝送方向が異なる２本の光通信線（Ｆｔ１〜Ｆｔ４,Ｆｒ１〜Ｆｒ４）で構成された光伝送路（Ａｎ-Ｂｎ：ｎ＝１，２，３…）に介在し、ｎ系統の光伝送路における２ｎ本の光通信線のそれぞれに対応する２ｎ個の光スイッチ（２０ｔ,２０ｒ）と、各光スイッチの遮断・接続状態を制御する制御部１０とを備え、光スイッチは、二つ一組で光スイッチ対ＳＷｎを構成して１系統の光伝送路に介在するとともに、制御部の制御により１本の光通信線毎に遮断と接続を行い、制御部は、各光スイッチの遮断と接続の状態を指定するスイッチング指示情報を受信して、所定の光スイッチに対して遮断あるいは接続を行わせる光伝送路遮断接続装置１としている。【選択図】  図１
2011010226.tif 000002
【特許請求の範囲】
【請求項１】
光信号の伝送方向が異なる２本の光通信線で構成された光伝送路に介在して各光伝送路の遮断・接続を行う光伝送路遮断接続装置であって、
ｎ系統の光伝送路における２ｎ本の光通信線のそれぞれに対応する２ｎ個の光スイッチと、各光スイッチの遮断・接続状態を制御するスイッチング制御部とを備え、
前記光スイッチは、二つ一組で光スイッチ対を構成して１系統の光伝送路に介在するとともに、スイッチング制御部の制御により１本の光通信線毎に遮断と接続を行い、
前記スイッチング制御部は、各光スイッチの遮断と接続の状態を指定するスイッチング指示情報を受信して、所定の光スイッチに対して遮断あるいは接続を行わせる
ことを特徴とする光伝送路遮断接続装置。
【請求項２】
ｎ系統の光伝送路の両端に接続される光伝送装置の動作を検証するための光伝送装置動作検証システムであって、
請求項１に記載の前記光伝送路遮断接続装置と、所定の通信ネットワークを介して前記光伝送路遮断接続装置の前記スイッチング制御部、および前記光伝送装置と通信する情報処理部とを含み、
前記情報処理部は、前記スイッチング制御部に対して特定の光伝送路に対応する１組の前記光スイッチ対における前記二つの光スイッチのそれぞれについての遮断・接続状態を指定したスイッチング指示情報を出力するスイッチング指示処理と、当該スイッチング指示処理に応答して前記特定の光伝送路における前記二つの光スイッチが所定の遮断・接続状態になったときに、当該光伝送路に接続されている２台の前記光伝送装置が出力する挙動情報を前記通信ネットワークを介して受信する挙動情報受信処理と、を実行する
ことを特徴とする光伝送装置動作検証システム。
【請求項３】
請求項２において、前記光伝送路遮断接続装置は、前記光伝送路に光伝送装置を複数接続し、前記スイッチング制御部は、前記情報処理部から所定内容のスイッチング指示情報を受信すると、各系統の前記光伝送路における前記二つの光スイッチの遮断・接続状態を所定の手順で一斉に遷移させる、
ことを特徴とする光伝送装置動作検証システム。
【請求項４】
請求項２において、前記光伝送路遮断接続装置に対して前記ｎ系統の光伝送路の一端側に介在し、前記情報処理部からの指示情報に従って、当該ｎ系統の光伝送路のいずれかを、前記光伝送路遮断接続装置におけるいずれか１組の前記光スイッチ対の一端に接続することで、前記ｎ系統の光伝送路のいずれかの前記一端側に接続される光伝送装置からの光信号を選択的に前記光伝送路遮断接続装置に入力させる第１マトリクススイッチを備えたことを特徴とする光伝送装置動作検証システム。
【請求項５】
請求項４において、前記光伝送路遮断接続装置に対して前記ｎ系統の光伝送路の他端側に介在し、前記情報処理部からの指示情報に従って、当該ｎ系統の光伝送路のいずれかを、前記光伝送路遮断接続装置におけるいずれか１組の前記光スイッチ対の他端に接続することで、前記光伝送路遮断接続装置から出力される光信号を前記ｎ系統の光伝送路のいずれかの前記他端側に接続される光伝送装置に入力させる第２マトリクススイッチを備えたことを特徴とする光伝送装置動作検証システム。
【請求項６】
請求項５において、前記ｎ系統の光伝送路は、前記光伝送路遮断接続装置と前記第１マトリクススイッチ、あるいは前記第２マトリクススイッチとの間の経路で、それぞれ光信号の伝送特性が異なっていることを特徴とする光伝送装置動作検証システム。
【発明の詳細な説明】
【技術分野】
【０００１】
この発明は光通信に用いる光伝送装置間の光伝送路を接続したり遮断したりするための光伝送路遮断接続装置に関する。また、光伝送装置の動作を検証するためのシステムにも関する。
【背景技術】
【０００２】
光ファイバからなる光伝送路を介して通信する装置（以下、光伝送装置）には、メディアコンバータと呼ばれる光回線終端装置（ＯＬＵ：Optical Line Terminal）や、そのメディアコンバータを内蔵したルータなどがある。これら光伝送装置は、光伝送路を介した相互通信に際し、光伝送路が物理的に接続されて通信を開始したり、あるいは光伝送路が切断（遮断）されて通信が不能になったりすると、その旨の情報を、例えば、光伝送装置の後段に接続されるＬＡＮ上のコンピュータなどに向けて出力する。すなわち、光伝送装置は、光伝送路の状態によって所定の挙動を示すようになっている。
【０００３】
このような光伝送装置では、実際に商用ネットワーク上に設置される前の製品出荷段階において、光伝送路を介して正しくデータ通信が行われるかどうかを試験する動作検証が必要となる。検証は、例えば、一つの光伝送路の両端にそれぞれ光伝送装置を接続し、通信経路を接続したときの状態と、通信経路を遮断したときの状態とを再現し、所定の挙動を示すかどうかによって行う。
【０００４】
なお、以下の特許文献１には、アクチュエータを用いて光導波路中の光路を遮蔽したり接続したりすることで、光伝送路の遮断と接続を行う光スイッチについて記載されている。
【先行技術文献】
【特許文献】
【０００５】
【特許文献１】特開２００５−９９６７８号公報
【発明の概要】
【発明が解決しようとする課題】
【０００６】
光伝送装置は、商用ネットワークに接続される機器であり、確実に動作することを事前に検証しておくことが必要となる。しかし、上述したように、光伝送装置の動作検証は、光伝送路の接続と遮断という人手に頼る基本動作を主体にして行われる。確かに、上記特許文献１に記載したような光スイッチを用いれば、人が光コネクタを挿抜するなどの手作業を不要とするが、個々の光伝送路の接続と遮断は、やはり人がその光スイッチを操作する必要がある。しかも、一系統分の光伝送路は、光信号の伝送方向が異なる２本の通信線で構成されている。この2本の通信線は、一方の光伝送装置から見て、他方の光伝送装置に光信号を送信するための通信線（送信線）と、他方の光伝送装置からの光信号を受信するための通信線（受信線）である。なお、送信線はＴｘ、受信線はＲｘと呼ばれている。確かに、周知の波長分割多重（ＷＤＭ）方式を用いたデータ通信により、ＴｘとＲｘを１本の光ファイバで構成する場合も多くなってきているが、依然として、1系統の光伝送路を２本の光ファイバで構成する場合の方が多い。
【０００７】
したがって、１系統の光伝送路を介して接続される一対の光伝送装置間での動作検証には、図１２に示したように、ＴｘとＲｘの双方における切断と接続の組み合わせ状態、すなわち四つの状態を全て再現する必要がある。このような動作検証を多数の光伝送装置に対して人の手で行えば、その検証作業に多大な労力と時間が掛かり、結果的に光伝送装置を安価に提供することが困難となる。
【０００８】
したがって、本発明は、複数系統の光伝送路の両端に光伝送装置を接続した際、１系統の光伝送路におけるＴｘとＲｘの２本の光通信線について、自動的かつ個別に遮断・接続可能な光伝送路遮断接続装置を提供することを目的としている。また、その光伝送路遮断接続装置を主要素として、光伝送装置間の動作を検証するための光伝送装置動作検証システムを提供することも目的としている。
【課題を解決するための手段】
【０００９】
上記光伝送路遮断接続装置に係る本発明は、光信号の伝送方向が異なる２本の光通信線で構成された光伝送路に介在して各光伝送路の遮断・接続を行う光伝送路遮断接続装置であって、
ｎ系統の光伝送路における２ｎ本の光通信線のそれぞれに対応する２ｎ個の光スイッチと、各光スイッチの遮断・接続状態を制御するスイッチング制御部とを備え、
前記光スイッチは、二つ一組で光スイッチ対を構成して１系統の光伝送路に介在するとともに、スイッチング制御部の制御により１本の光通信線毎に遮断と接続を行い、
前記スイッチング制御部は、各光スイッチの遮断と接続の状態を指定するスイッチング指示情報を受信して、所定の光スイッチに対して遮断あるいは接続を行わせる
光伝送路遮断接続装置としている。
【００１０】
また、本発明はｎ系統の光伝送路の両端に接続される光伝送装置の動作を検証するための光伝送装置動作検証システムにも及んでおり、当該光伝送装置動作検証システムに係る発明は、上記光伝送路遮断接続装置と、所定の通信ネットワークを介して当該遮断接続装置の前記スイッチング制御部、および前記光伝送装置と通信する情報処理部とを含み、
前記情報処理部は、前記スイッチング制御部に対して特定の光伝送路に対応する１組の前記光スイッチ対における前記二つの光スイッチのそれぞれについての遮断・接続状態を指定したスイッチング指示情報を出力するスイッチング指示処理と、当該スイッチング指示処理に応答して前記特定の光伝送路における前記二つの光スイッチが所定の遮断・接続状態になったときに、当該光伝送路に接続されている２台の前記光伝送装置が出力する挙動情報を前記通信ネットワークを介して受信する挙動情報受信処理と、を実行することを特徴としている。
【００１１】
そして、上記光伝送装置動作検証システムを基本発明とし、当該基本発明において、前記光伝送路遮断接続装置は、前記光伝送路に光伝送装置を複数接続し、前記スイッチング制御部は、前記情報処理部から所定内容のスイッチング指示情報を受信すると、各系統の前記光伝送路における前記二つの光スイッチの遮断・接続状態を所定の手順で一斉に遷移させる光伝送装置動作検証システムとすることもできる。
【００１２】
ところで、光伝送装置には、メーカや型式が異なる多種多様なタイプが存在し、通信相手となる光伝送装置の組み合わせは膨大な数に及ぶ、実際の商用ネットワークでは、異種光伝送装置間での通信も当然考えられる。したがって、光伝送装置は、その出荷段階において、異種光伝送装置との通信を考慮して動作検証する必要がある。本発明は、このような要求にも対応できる光伝送装置動作検証システムも範囲としている。
【００１３】
そして、その異種光伝送装置間での動作検証を行える光伝送装置動作検証システムは、上記基本発明において、前記光伝送路遮断接続装置に対して前記ｎ系統の光伝送路の一端側に介在し、前記情報処理部からの指示情報に従って、当該ｎ系統の光伝送路のいずれかを、前記光伝送路遮断接続装置におけるいずれか１組の前記光スイッチ対の一端に接続することで、前記ｎ系統の光伝送路のいずれかの前記一端側に接続される光伝送装置からの光信号を選択的に前記光伝送路遮断接続装置に入力させる第１マトリクススイッチを備えたことを特徴としている。
【００１４】
上記第１マトリクススイッチを備えた光伝送装置動作検証システムにおいて、前記光伝送路遮断接続装置に対して前記ｎ系統の光伝送路の他端側に介在し、前記情報処理部からの指示情報に従って、当該ｎ系統の光伝送路のいずれかを、前記光伝送路遮断接続装置におけるいずれか１組の前記光スイッチ対の他端に接続することで、前記光伝送路遮断接続装置から出力される光信号を前記ｎ系統の光伝送路のいずれかの前記他端側に接続される光伝送装置に入力させる第２マトリクススイッチを備えた光伝送装置動作検証システムも本発明の範囲である。
【００１５】
また、光伝送装置と同様に、光伝送路構成する光ファイバにも特性が異なる多種多様なタイプが存在する。実際の商用ネットワークでは、異種光伝送装置間での通信、多種多様な特性の光ファイバを介しての通信など、その多種多様なネットワーク構成が想定される。本発明は、このようなネットワーク構成の多様性にも対応できる光伝送装置動作検証システムにも及んでいる。
【００１６】
そして、当該光伝送装置動作検証システムは、第１および第２マトリクススイッチを備えた上記光伝送装置動作検証システムにおいて、前記ｎ系統の光伝送路が、前記光伝送路遮断接続装置と前記第１マトリクススイッチ、あるいは前記第２マトリクススイッチとの間の経路で、それぞれ光信号の伝送特性が異なっていることを特徴としている。
【発明の効果】
【００１７】
本発明の光伝送路遮断接続装置によれば、複数系統の光伝送路の両端に光伝送装置を接続した際、１系統の光伝送路における送信線と受信線の２本の光通信線について、自動的かつ個別に遮断・接続することが可能となる。したがって、多数の光伝送装置の動作検証を容易に、かつ短時間で行える。光伝送装置の動作検証に係るコストを低減させることができるため、光伝送装置を安価に提供することも期待できる。
【図面の簡単な説明】
【００１８】
【図１】本発明の一実施形態である光伝送路遮断接続装置の機能ブロック図である。
【図２】上記光伝送路遮断接続装置の外観図である。
【図３】上記光伝送路遮断接続装置の内外における光ファイバの接続状態を示す図である。
【図４】光伝送装置動作検証システムに係る発明の第１実施例、および第２実施例の構成を示す図である。
【図５】上記光伝送装置動作検証システムを構成する情報処理部が出力するスイッチング指示情報の概略図である。
【図６】上記情報処理部による動作検証処理の流れを示す図である。
【図７】光伝送装置動作検証システムに係る発明の第３実施例の構成を示す図である。
【図８】上記第３実施例の光伝送装置動作検証システムを構成する光路選択装置の機能ブロック図である。
【図９】光伝送装置動作検証システムに係る発明の第４実施例、および第５実施例の構成を示す図である。
【図１０】光伝送装置動作検証システムに係る発明のその他の実施例の構成を示す図である。
【図１１】上記その他の実施例における変形例の構成を示す図である。
【図１２】光伝送路における２本の通信線の遮断・接続状態を説明するための図である。
【発明を実施するための形態】
【００１９】
＝＝＝光伝送路遮断接続装置の構成＝＝＝
図１に、光伝送路遮断接続装置に係る本発明の一実施形態を機能ブロック構成として示した。当該光伝送路遮断接続装置（以下、遮断接続装置）１は、外部電源（図示せず）により動作し、スイッチング制御部１０と、並列に複数配置された１×１タイプの光スイッチ（２０ｔ，２０ｒ）などを含んで構成されている。
【００２０】
スイッチング制御部１０は、例えば、ＣＰＵとメモリを備えたマイクロコンピュータなどで構成することができる。そして、各光スイッチ（２０ｔ，２０ｒ）に対して遮断と接続を指示するための制御信号を出力する。また、この遮断接続装置１は、１００ＢＡＳＥ−ＴＸなど、所定規格のＬＡＮポート４０を備え、スイッチング制御部１０は、当該ＬＡＮポート４０を介してEthernet（登録商標）などのＬＡＮに接続されている外部の情報処理装置（コンピュータ）と通信するための通信インタフェース（ＩＦ）１１を含んでいる。例示した遮断接続装置１では、さらに、光スイッチ（２０ｔ，２０ｒ）の遮断と接続の各状態に応じて点灯したり消灯したりするＬＥＤなどの表示器５０を備え、スイッチング制御部１０には、この表示器５０用の駆動回路１２も含まれている。
【００２１】
各光スイッチ（２０ｔ，２０ｒ）は、その両端に光ファイバの接続ポートを備え、双方の接続ポートに接続される光ファイバ間の光路に介在して、スイッチング制御部１０からの制御信号を制御信号線１３を介して受信すると、その光路を遮断したり接続したりする開閉動作を行う。また、光スイッチ（２０ｔ，２０ｒ）は、一系統分の光伝送路（Ａｎ-Ｂｎ：ｎ＝１〜４）について、二つ１組で対応し、この１組中の二つの光スイッチ（２０ｔ，２０ｒ）の両端に接続されている光ファイバ（Ｆｔ２−Ｆｔ３，Ｆｒ２-Ｆｒ３）が、光通信におけるＴｘ通信線とＲｘ通信線とに個別に対応している。すなわち、互いに通信する２台の光伝送装置は、光スイッチ（２０ｔ，２０ｒ）を介して接続する光ファイバ（Ｆｔ１〜Ｆｔ４，Ｆｒ１〜Ｆｒ４）からなる光伝送路（Ａｎ-Ｂｎ）を介して通信し、その通信経路の途上に、二つ１組の光スイッチ（２０ｔ，２０ｒ、以下、光スイッチ対）が介在することになる。ここに例示した遮断接続装置１では、４系統の光伝送路（Ａｎ-Ｂｎ）のそれぞれに接続するように、４組の光スイッチ対（ＳＷｎ：ｎ＝１〜４）を備えているものとする。
【００２２】
また、各光スイッチ（２０ｔ，２０ｒ）に接続されている光ファイバ（Ｆｔ２，Ｆｒ２，Ｆｔ３，Ｆｒ３）の末端は、筐体外部の光アダプタ（３１ｔ，３１ｒ，３２ｔ，３２ｒ）に案内されている。したがって、遮断接続装置１は、１系統の光伝送路（Ａｎ-Ｂｎ）毎に、二つ１組の光スイッチ対ＳＷｎ、４本の光ファイバ（Ｆｔ２，Ｆｔ３，Ｆｒ２,Ｆｒ３）、および４個の光アダプタ（３１ｔ，３１ｒ、および３２ｔ，３２ｒ）を備えていることになる。なお、光伝送路（Ａｎ-Ｂｎ）におけるＴｘとＲｘの関係は、その光伝送路（Ａｎ-Ｂｎ）の両端に接続される光伝送装置の一方と他方のそれぞれから見ると逆転することになるが、ここでは説明を容易にするために、便宜上、１系統の光伝送路（Ａｎ-Ｂｎ）における２本一組の光ファイバ（Ｆｔ１−Ｆｒ１〜Ｆｔ４−Ｆｒ４）の一方をＴｘ、他方をＲｘと称することとする。
【００２３】
図２に、本実施形態における遮断接続装置１の外観を示した。遮断接続装置１の筐体２は、上下に扁平な箱形であり、この筐体２内にスイッチング制御部１０と光スイッチ（２０ｔ，２０ｒ）を内蔵している。筐体２の外側前面３には、光アダプタ（３１ｔ，３１ｒ,３２ｔ，３２ｒ）と、ＬＡＮポート４０、定圧電源入力端子６０、表示器５０、および電源スイッチ７０が配設され、外部機器との接続、およびこの装置の操作や動作確認に関わる機能が筐体２の前面３に集中配置されている。
【００２４】
図３に、当該遮断接続装置における上記光アダプタ（３１ｔ,３１ｒ,３２ｔ，３２ｒ）、その光アダプタ（３１ｔ,３１ｒ,３２ｔ，３２ｒ）に接続される光コネクタ（１３１ｔ,１３１ｒ,１３２ｔ，１３２ｒ）、および筐体２の内部における光ファイバ（Ｆｔ２，Ｆｔ３，Ｆｒ２，Ｆｒ３）と光スイッチ（２０ｔ，２０ｒ）との接続構造を簡略化して示した。光アダプタ（３１ｔ,３１ｒ,３２ｔ，３２ｒ）は、ＳＣ型など、適宜な規格に準拠した構造で、上述した機能ブロック構成によれば、光伝送路（Ａｎ-Ｂｎ）を介して互いに通信する２台１組の光伝送装置ごとに、二つの光スイッチ対（ＳＷｎ）と、四つの光アダプタ（３１ｔ,３１ｒ,３２ｔ，３２ｒ）が必要である。この例では、上下に並べられた二つ一組の光アダプタ（３１ｔ−３２ｔ，３１ｒ−３２ｒ）を左右に二組並べることで上記四つの光アダプタ（３１ｔ,３１ｒ,３２ｔ，３２ｒ）を設けている。
【００２５】
また、光伝送路（Ａｎ-Ｂｎ）を構成する２本の光ファイバ（Ｔｘ,Ｒｘ）は、その一端が互いに通信する２台の光伝送装置のそれぞれに接続されるとともに、他端に光アダプタ（３１ｔ,３１ｒ,３２ｔ，３２ｒ）に係合する光コネクタ（１３１ｔ,１３１ｒ,１３２ｔ，１３２ｒ）を備えている。そして、二組の光アダプタ（３１ｔ−３２ｔ，３１ｒ−３２ｒ）を左右に並べた際、上段と下段の二つの光アダプタ（３１ｔ−３１ｒ，３２ｔ−３２ｒ）が１台の光伝送装置に対応し、左右一方の光アダプタ（３１ｔ,３２ｔ）がＴｘ通信線となる光ファイバ（Ｆｔ１，Ｆｔ４）に接続され、他方（３１ｒ,３２ｒ）がＲｘ通信線となる光ファイバ（Ｆｒ１，Ｆｒ４）に接続される。
【００２６】
一方、筐体２の内部では、上段と下段の左側の光アダプタ同士（３１ｔ-３２ｔ）、および右側の光アダプタ同士（３１ｒ-３２ｒ）を連絡する光ファイバ（Ｆｔ２-Ｆｒ３，Ｆｒ２−Ｆｒ３）の光路上に光スイッチ（２０ｔ,２０ｒ）が介在している。図示した光スイッチは、ピグティル型であり、実際には、筐体内の基板上に実装されている。そして、図２に示したように、遮断接続装置１の筐体前面３には、四つ一組の光アダプタ（３１ｔ,３１ｒ,３２ｔ，３２ｒ）が左右に４組配設されて、８台４組の光伝送装置を接続することができるようになっている。
【００２７】
＝＝＝遮断接続装置の動作＝＝＝
上記構成の遮断接続装置１において、スイッチング制御部１０は、各光スイッチ（２０ｔ,２０ｒ）の開閉状態を指示する情報（スイッチング指示情報）を、例えば、ＬＡＮ上に設置された情報処理部（コンピュータなど）から通信ＩＦ１１を介して受信すると、その指示情報に基づいて、所定の光スイッチ（２０ｔ,２０ｒ）を遮断、あるいは切断させる制御信号を出力する。また、表示駆動回路１２により、その制御信号の出力状態を表示器５０の点灯状態に反映させる。
【００２８】
各光スイッチ（２０ｔ,２０ｒ）は、スイッチング制御部１０からの制御信号に従って光路を開閉し、特定の系統の光伝送路（Ａｎ-Ｂｎ）におけるＴｘ用とＲｘ用の光ファイバ（Ｆｔ２-Ｆｔ３,Ｆｒ２−Ｆｒ３）の光路を個別に遮断／切断する。それによって、従来、人が行っていた光伝送路の遮断／接続作業を全自動化することが可能となる。
【００２９】
＝＝＝光伝送装置動作検証システム＝＝＝
上記遮断接続装置１は、複数の光伝送路（Ａｎ-Ｂｎ）の両端に光伝送装置を接続することで、商用ネットワーク上の光伝送装置間の光通信状況を再現するとともに、上述した構成と動作とにより、任意の光伝送路（Ａｎ-Ｂｎ）のＴｘとＲｘの任意の光ファイバ（Ｆｔ２−Ｆｔ３,Ｆｒ２−Ｆｒ３）の光路の遮断・接続状態も再現することができる。
【００３０】
正常に動作する光伝送装置は、光伝送路（Ａｎ-Ｂｎ）の遮断・接続状態に応じて所定の挙動を示す、すなわち特定の情報を出力する。そこで、上記遮断接続装置１を、各光伝送装置が光伝送路（Ａｎ-Ｂｎ）の状態に応じて正しい挙動を示すか否かを検証するためのシステムの主要部として使用することが考えられる。そして本発明は、この光伝送装置の挙動を確認するためのシステム（光伝送装置動作検証システム：以下、動作検証システム）にも及んでいる。以下では、光伝送装置動作検証システムに係る発明について、いつかの実施例を挙げる。
【００３１】
＝＝＝第１の実施例＝＝＝
以下に挙げる動作検証システムに係る本発明の実施例は、上記実施形態における遮断接続装置１を主要構成としたコンピュータシステムである。図４に、本発明の第１実施例における動作検証システム１００ａについて、そのネットワーク構成を示した。遮断接続装置１には、光伝送装置として８台４組のルータ（Ｒｎａ-Ｒｎｂ：ｎ＝１〜４）が接続されている。なお、各ルータＲｎａとＲｎｂのｎは同じであり、互いに通信相手となるルータ（Ｒｎａ-Ｒｎｂ）は、１対１の関係であることを示している。
【００３２】
そして、この動作検証システム１００ａ全体を制御するための情報処理部として、パーソナルコンピュータ（以下、ＰＣ）１０１がＬＡＮ１０２に接続され、そのＬＡＮ１０２上に遮断接続装置１、および各光伝送装置（Ｒｎａ-Ｒｎｂ）がＰＣ１０１と通信可能に接続されている。
【００３３】
ＰＣ１０１には、光伝送装置（Ｒｎａ，Ｒｎｂ）の動作検証用のソフトウエアがインストールされており、ＰＣ１０１はこのソフトウエアを実行することで、動作検証システム１００ａの主制御部として動作し、ＬＡＮ１０２を介して遮断接続装置１に指定の光伝送路（Ａｎ-Ｂｎ）における光スイッチ対ＳＷｎの遮断・接続状態を指示する情報（スイッチング指示情報）を送信する。図５にスイッチング指示情報の概略構造を示した。光伝送路の指定情報２０１と、ＴｘとＲｘのそれぞれの光ファイバ（Ｆｔ１，Ｆｒ１）の光路に対する遮断あるいは接続の指示情報（２０２ｔ，２０２ｒ）が記述されている。遮断接続装置１のスイッチング制御部１０は、例えば、光伝送路（Ａｎ-Ｂｎ）のそれぞれに対応する光スイッチ（２０ｔ，２０ｒ）を自身のメモリに記憶されている識別子によって認識し、通信ＩＦ１１により、ＰＣ１０１からＬＡＮポート５０を介してスイッチング指示情報を受け取ると、その指示情報に従って特定の光伝送路（Ａｎ-Ｂｎ）における二つの光スイッチ（２０ｔ，２０ｒ）の一方、あるいは両方を開閉制御して、その光伝送路（Ａｎ-Ｂｎ）を指定の遮断・接続状態にする。
【００３４】
またＰＣは、光伝送装置（Ｒｎａ，Ｒｎｂ）に対して通信の開始や終了を指示する情報を出力したり、光伝送装置（Ｒｎａ，Ｒｎｂ）が光伝送路の遮断・接続状態を検出したときに出力する情報（挙動情報）を受け取ったりする。このように、ＰＣ１０１は、遮断接続装置１や光伝送装置（Ｒ１ｎ，Ｒ２ｎ）を制御するとともに、光伝送装置（Ｒｎａ，Ｒｎｂ）からの挙動情報を監視することで光伝送装置（Ｒｎａ，Ｒｎｂ）の動作状態を検証していく。
【００３５】
図６にＰＣ１０１における光伝送装置動作検証処理の流れについて、その一例を示した。まず、遮断接続装置１のスイッチング制御部１０に向けて、特定の光伝送路（Ａｎ-Ｂｎ）におけるＴｘとＲｘの光ファイバ（Ｆｔ１,Ｆｒ１）双方を接続状態にする旨のスイッチング指示情報を出力する（ｓ１）。また、当該光伝送路（Ａｎ-Ｂｎ）の両端に接続されている２台の光伝送装置（Ｒｎａ，Ｒｎｂ）に対して通信の開始を指示する情報を出力する（ｓ２）。そして、光伝送路（Ａｎ-Ｂｎ）の遮断・接続状態を変化させる度に、その状態を記述したスイッチング指示情報を出力するとともに、光伝送路の遮断・接続状態を変化させたときの各光伝送装置（Ｒｎａ，Ｒｎｂ）からの挙動情報の出力状況を監視する。
【００３６】
具体的には、光伝送路（Ａｎ-Ｂｎ）の遮断・接続状態を変化させてから一定時間が経過したり、間違った挙動情報が出力されたりした場合には、例えば、光伝送装置（Ｒｎａ，Ｒｎｂ）の識別子と遮断・接続状態とエラーの内容（タイムアウト、挙動情報の誤出力など）をエラー情報として記憶する（ｓ３，ｓ４→ｓ６、ｓ３，ｓ４→ｓ５→ｓ６）。制限時間以内に正しい挙動情報を入力したならば、正常動作情報として、光伝送装置（Ｒｎａ，Ｒｎｂ）の識別子と正常動作内容（遮断・接続状態など）を記憶する（ｓ３，ｓ４→ｓ５→ｓ７）。
【００３７】
接続・遮断状態を一通り変化させて動作検証を終えたならば、動作検証中に入力したエラー情報や正常動作情報を、後段の情報処理に受け渡す（ｓ８→ｓ９）。なお、後段の情報処理としては、例えば、利用者に向けて表示出力したり、記憶情報を各光伝送装置（Ｒｎａ，Ｒｎｂ）の挙動を解析する際に必要な所定形式のデータに加工したり、データ解析用の他のソフトウエアの処理に受け渡したりすることなどが考えられる。
【００３８】
なお、この第１の実施例では、遮断接続装置１がスイッチング指示情報をＰＣ１０１などの外部の情報処理部から受け取る構成とせず、スイッチング制御部１０のメモリに、各光スイッチ（２０ｔ，２０ｒ）の開閉状態の遷移手順を記述した情報を記憶させておき、スイッチング制御部１０自体を情報処理部としても機能させる構成に変更することができる。この変更例では、ＰＣ１０１は、利用者による操作入力情報や、各光スイッチ（２０ｔ，２０ｒ）への制御信号の出力状態を遮断接続装置１側から受け取ることで、光伝送路（Ａｎ-Ｂｎ）の遮断・接続状態を検知するとともに、光伝送装置（Ｒｎａ，Ｒｎｂ）から、その遮断・接続状態に応じた挙動を示す情報を受信すればよい。
【００３９】
なお、挙動情報を遮断接続装置１が受信する構成にすることもできる。例えば、光伝送装置（Ｒｎａ，Ｒｎｂ）が、光伝送路（Ａｎ−Ｂｎ）の遮断・接続状態に応じ、その光伝送路上（Ａｎ−Ｂｎ）に光信号による挙動信号を送出する場合では、ＰＣ１０１がＬＡＮ１０２を介して挙動情報を受信するのに代えて、遮断接続装置１が光伝送路を介して挙動情報を受信することになる。そして、遮断接続装置に、受信した光信号による挙動信号を電気信号に変換する構成と、電気信号に変換された挙動信号の内容を処理する構成と、その処理結果を表示器５０の点灯状態に反映させる構成とを含ませる。あるいは、テキスト表示をする液晶表示器などを遮断接続装置１に備えさせて、挙動情報の内容などをより具体的に表示する構成としてもよい。
【００４０】
もちろん、光伝送装置（Ｒｎａ，Ｒｎｂ）が、光伝送路の遮断に応動して光伝送路（Ａｎ−Ｂｎ）を介したデータ通信を停止するような場合では、遮断接続装置１の表示器５０を光信号の入力時に点灯させるようにしておけばよい。すなわち、伝送装置（Ｒｎａ，Ｒｎｂ）が正しく動作していれば、ＴｘとＲｘのいずれか一方を遮断すれば、データ通信が停止し、表示器５０が消灯する。この消灯状態により、伝送装置が正しい挙動を示しているか否かを確認することができる。
【００４１】
＝＝＝第２の実施例＝＝＝
第１の実施例では、１対１の対応関係にある２台の光伝送装置（Ｒｎａ，Ｒｎｂ）を複数系統並列に接続した状態で動作検証を行うことを前提としている。そこで、例えば、この第１の実施例における動作検証システム１００ａの構成を用い、全光伝送路（Ａｎ-Ｂｎ）に光伝送装置（Ｒｎａ，Ｒｎｂ）を接続し、全光伝送装置（Ｒｎａ，Ｒｎｂ）の挙動を同時に一括して確認できる動作検証システムに発展させることもできる。
【００４２】
具体的には、図４に示したネットワーク構成において、遮断接続装置１の複数系統の光伝送路（Ａｎ-Ｂｎ）の両端に光伝送装置（Ｒｎａ，Ｒｎｂ）を１対１の関係となるように接続するとともに、ＰＣ１０１は、スイッチング制御部１０に対し、全系統の光伝送路（Ａｎ-Ｂｎ）の遮断・接続状態の遷移手順を記述したスイッチング指示情報を送信する。スイッチング制御部１０は、このスイッチング指示情報に従って、各光伝送路（Ａｎ-Ｂｎ）におけるＴｘ用とＲｘ用の２本の光ファイバ（Ｆｔ１，Ｆｒ１）の光路を同じ手順で一斉に開閉する。
【００４３】
このように、第２の実施例では、多数の光伝送装置（Ｒｎａ，Ｒｎｂ）の挙動を一斉に検証することができるため、例えば、光伝送装置（Ｒｎａ，Ｒｎｂ）の出荷検査時などに、同じ型式の光伝送装置（Ｒｎａ，Ｒｎｂ）を大量に動作検証する場合などに利用することができる。
【００４４】
＝＝＝第３の実施例＝＝＝
上記第１および第２の実施例は、１対１の対応関係にある２台の光伝送装置（Ｒｎａ，Ｒｎｂ）を複数系統並列に接続した状態で動作検証を行っていた。しかし、同じプロトコルで通信する光伝送装置（Ｒ１ｎ，Ｒ２ｎ）であっても、メーカや型式が異なることによる、いわゆる「相性問題」が発生する可能性も十分にあり得る。そして、メーカや型式などが異なる光伝送装置（Ｒ１ｎ，Ｒ２ｎ）の組み合わせは膨大な数に及ぶ。第３の実施例は、このような異種光伝送装置間での動作検証も行えるシステム構成としている。
【００４５】
図７に第３の実施例における動作検証システム１００ｂの構成を示した。第３の実施例の動作検証システム１００ｂは、ＰＣ１０１によって制御される２台の多肢選択型の光スイッチ装置（光路選択装置：ＳＬ１，ＳＬ２）が追加されている点が第１および第２の実施例の動作検証システム１００ａと異なっている。なお、当該動作検証システム１００ｂにおいて、遮断接続装置１と２台の光路選択装置（ＳＬ１、ＳＬ２）は、個別の筐体で構成されていてもよいし、全部（１，ＳＬ１、ＳＬ２）、あるいは適宜な組み合わせ（ＳＬ１とＳＬ２など）ごとに一つの筐体で構成されていてもよい。
【００４６】
図８に、図７における光路選択装置（ＳＬ１，ＳＬ２）の内部構成を示した。ここでは、２台の光路選択装置（ＳＬ１，ＳＬ２）が個別の筐体で構成されているものとし、その構成や動作について、一方の光路選択装置ＳＬ１を例に挙げて説明する。また、ｉ、ｊをそれぞれ１〜４の任意の整数として光伝送路上の特定の経路や特定の光伝送装置を表現するものとする。各光路選択装置（ＳＬ１，ＳＬ２）は、複数系統の光伝送路に対応する経路（Ｃｉ，Ａｊ）に接続する側（多肢側）と１系統の光伝送路に対応する経路（Ｄ，Ｅ）と接続する側（選択側）の両端に図３に示した光コネクタ（１３１ｔ，１３１ｒ，１３２ｔ，１３２ｒ）と同様の光コネクタ３４に接続される光アダプタ３３を備えている。そして、多肢側経路Ｃｉの光アダプタ３３から案内される光ファイバ（Ｆｔ５，Ｆｒ５）が、ＴｘとＲｘの２本を一組として２×２タイプの光スイッチ２２に接続され、各光スイッチ２２における選択側の光ファイバ（Ｆｔ６，Ｆｒ６）が２本の光ファイバ（Ｆｔ７，Ｆｒ７）に集約され、総体的に２×８タイプの光スイッチ１２０が構成されている。
【００４７】
また、光スイッチ２２以外の構成は、ほぼ遮断接続装置１と同様の構成となっており、例えば、光路選択制御部１１０は、遮断接続装置１におけるスイッチング制御部１０に相当し、ＬＡＮ１０２を介してＰＣ１０１と通信する通信ＩＦ１１１を備え、ＰＣ１０１から特定の経路Ｃｉを選択する旨の情報（光伝送路選択情報）を受信すると、各２×２タイプの光スイッチ２２に制御信号線１１３を介して制御信号を送信し、多肢側経路Ｃｉにおける特定の１系統分の２本の光ファイバ（Ｆｔ５，Ｆｒ５）からの光路のみを、選択側経路Ｄの２本の光ファイバ（Ｆｔ７，Ｆｒ７）の光路に導くように光スイッチ２２を動作させる。すなわち、一つの２×２タイプの光スイッチ２２を接続状態にすれば、他の光スイッチ２２を遮断状態にする。
【００４８】
そして、第３の実施例における動作検証システム１００ｂでは、図７に示したように、上記多肢選択型の２台の光路選択装置（ＳＬ１，ＳＬ２）のそれぞれの選択側（Ｄ，Ｅ）の光ファイバ（Ｆｔ６−Ｆｔ７，Ｆｒ６−Ｆｒ７）を光コネクタ３５を介して接続することで、両端が多肢側（Ｃｎ，Ａｎ）となるマトリクス型の光スイッチ（マトリクススイッチ：ＭＸ１）を構成要素として含んでいる点に特徴があり、マトリクススイッチＭＸ１に接続されている４台の光伝送装置Ｒｉａのいずれかと、遮断接続装置１に接続されている４台のいずれかの光伝送装置Ｒｊｂとを通信相手として任意に選択し、合計４×４＝１６通りの組み合わせを自在に設定することができる。そして、その組み合わされた２台の光伝送装置（Ｒｉａ，Ｒｊｂ）間の光伝送路（Ｃｉ-Ｄ-Ｅ-Ａｊ-Ｂｊ）をＴｘとＲｘ毎に個別に遮断・接続することができるようになっている。なお、光伝送装置（Ｒｉａ，Ｒｊｂ）の組み合わせに応じた動作検証を行う際には、ＰＣ１０１が、光伝送装置（Ｒｉａ，Ｒｊｂ）の組み合わせ（Ｒｉａ-Ｒｊｂ）と、光伝送路（Ｃｉ-Ｄ-Ｅ-Ａｊ-Ｂｊ）の遮断・接続状態に応じた挙動情報とを対応付けして記憶したり、表示出力したりすればよい。
【００４９】
＝＝＝第４の実施例＝＝＝
第３の実施例は、多対多の関係で互いに通信し合う光伝送装置（Ｒｉａ，Ｒｊｂ）の組み合わせ（Ｒｉａ-Ｒｊｂ）を設定できる構成であった。第４の実施例では、この第３の実施例の構成をさらに発展させて、その多対多の関係とともに、光伝送路の経路も選択できる構成となっている。図９に当該第４の実施例における動作検証システム１０１ｃの構成を示した。また、第４の実施例では、ｉ、ｊ、ｍをそれぞれ１〜４の任意の整数として光伝送路上の特定の経路や特定の光伝送装置を表現することとする。光伝送路（Ｃｉ-Ｄ-Ｅ-Ａｊ-Ｂｊ-Ｆ-Ｇ-Ｈｍ）の途上に、第３の実施例におけるマトリクススイッチＭＸ１に加え、これと同じマトリクススイッチＭＸ２を備えている。そして、各マトリクススイッチ（ＭＸ１，ＭＸ２）が遮断接続装置１の両側に配置されている。
【００５０】
この構成によれば、例えば、ある２台の光伝送装置（Ｒｉａ-Ｒｍｂ）がある光伝送路（Ｃｉ-Ｄ-Ｅ-Ａｊ-Ｂｊ-Ｆ-Ｇ-Ｈｍ）を介して通信しているときに、その光伝送路（Ｃｉ-Ｄ-Ｅ-Ａｊ-Ｂｊ-Ｆ-Ｇ-Ｈｍ）が遮断された際、他の光伝送路（Ｃｉ-Ｄ-Ｅ-Ａｊ-Ｂｊ-Ｆ-Ｇ-Ｈｍ）を介して再接続する冗長処理を確実に行うことができるか否か、などを検証することができる。
【００５１】
当該冗長処理に関わる動作検証として、光伝送装置Ｒ１ａとＲ２ｂとの光伝送路を可変設定する例を挙げると、光伝送路（Ｃｉ-Ｄ-Ｅ-Ａｊ-Ｂｊ-Ｆ-Ｇ-Ｈｍ）における末端の経路Ｃ１とＨ２が決まっているので、遮断接続装置１内のどの光スイッチ対（ＳＷｊ）を経由させるのかを任意に設定することになる。この任意に設定可能な経路（Ａｊ-Ｂｊ）を商用ネットワーク上の光伝送路と見なす。例えば、初期設定として、２台の光伝送装置Ｒ１ａとＲ２ｂがＣ１-Ｄ-Ｅ-Ａ２-Ｂ２-Ｆ-Ｇ-Ｈ２の経路で通信するように設定されていたとする。すなわち、遮断接続装置１において、経路（Ａ２，Ｂ２）の途上に介在するスイッチ対ＳＷ２は、ＴｘとＲｘの双方の光ファイバ（Ｆｔ２−Ｆｔ３，Ｆｒ２−Ｆｒ３）が接続された状態となっている。
【００５２】
ここで、ＰＣ１０１が、スイッチ対ＳＷ２の２本の光ファイバ（Ｆｔ２−Ｆｔ３，Ｆｒ２−Ｆｒ３）のいずれかを遮断する旨のスイッチング指示情報を遮断接続装置１に宛てて送信すると、遮断接続装置１では、この指示情報に基づいてスイッチ対ＳＷ２の一方の光ファイバ（Ｆｔ２−Ｆｔ３，Ｆｒ２−Ｆｒ３）を遮断する。２台の光伝送装置（Ｒ１ａ，Ｒ２ｂ）が正常に機能していれば、双方の光伝送装置（Ｒ１ａ，Ｒ２ｂ）が、この一方の光ファイバ（Ｆｔ２−Ｆｔ３，Ｆｒ２−Ｆｒ３）が遮断された旨の挙動情報をＰＣ１０１に向けて出力する。ＰＣ１０１は、２台の光伝送装置（Ｒ１ａ，Ｒ２ｂ）からの挙動情報を受け取ると、他の光スイッチ対（ＳＷｊ）を経由させて光伝送路（Ｃｉ-Ｄ-Ｅ-Ａｊ-Ｂｊ-Ｆ-Ｇ-Ｈｍ）を再接続させる。例えば、スイッチ対ＳＷ４の２本の光ファイバ（Ｆｔ２−Ｆｔ３，Ｆｒ２−Ｆｒ３）を接続状態にする旨のスイッチング指示情報を出力するとともに、光伝送路の経路がＣ１-Ｄ-Ｅ-Ａ４-Ｂ４-Ｆ-Ｇ-Ｈ２となるように遮断接続装置１に隣接する光路選択装置（ＳＬ１，ＳＬ２）を制御する。そして、この経路Ｃ１-Ｄ-Ｅ-Ａ４-Ｂ４-Ｆ-Ｇ-Ｈ２によって光伝送路が再接続されたときに、光伝送装置Ｒ１ａとＲ２ｂから挙動情報が出力されたか否か、正しい挙動情報が出力されたか否かなどを監視する。それによって、冗長処理についての動作検証を行うことができる。
【００５３】
＝＝＝第５の実施例＝＝＝
互いに通信する光伝送装置の組み合わせが多様であるのと同様に、光伝送路の特性も多様である。例えば、伝送路の長さ、損失（伝送効率）などである。そして光伝送装置では、「ある長さ以上の光伝送路には接続しないこと」「ある伝送効率以上の光伝送路に接続すること」など、光伝送装置に固有の使用条件を決定する必要性もある。第５の実施例は、このような光伝送路の特性も加味した動作検証を行えるシステムとしている。
【００５４】
この第５の実施例における動作検証システムのハードウエアやネットワークの構成は、図９に示した第４の実施例とほぼ同様であるが、遮断接続装置１と第２マトリクススイッチＭＸ２との間の経路における光ファイバ（Ｆｔ４，Ｆｒ４）の特性を系統毎に異ならせていることに特徴がある。
【００５５】
第５の実施例では、この特性が異なる光ファイバ（Ｆｔ４，Ｆｒ４）によって構成されている経路Ｂｊを商用ネットワーク上の光伝送路と見なし、通信相手同士となる２台の光伝送装置（Ｒｉａ，Ｒｍｂ）を固定する。次に、２台の光伝送装置（Ｒｉａ，Ｒｍｂ）間の経路Ｂｊを順次選択していき、経路Ｂｊが異なるそれぞれの光伝送路において遮断接続装置１のスイッチ対ＳＷｊにおける遮断・接続状態を順次変化させていく。そして、全ての遮断・接続状態において正常な挙動情報が出力されるか否かを監視する。
【００５６】
例えば、図９において、互いに通信する２台の光伝送装置としてＲ１ａとＲ２ｂを設定する場合、ＰＣ１０１は、まず、光伝送路の経路がＣ１-Ｄ-Ｅ-Ａ１-Ｂ１-Ｆ-Ｇ-Ｈ２となるように４台の光路選択装置（ＳＬ１〜ＳＬ４）と遮断接続装置１を制御する。そして、スイッチング指示情報により、遮断接続装置１におけるスイッチ対ＳＷ１の遮断・接続状態を順次変化させる。そして、各遮断・接続状態での光伝送装置（Ｒ１ａ，Ｒ２ｂ）からの挙動情報の出力状況を監視する。
【００５７】
つぎに、光路選択装置ＳＬ２を制御して経路Ａ１をＡ２に変更し、同様に遮断接続装置１におけるスイッチ対ＳＷ２の遮断・接続状態を順次変化させる。以下、同様にして経路Ａｊを順次替えていき、遮断・接続状態を変化させる毎に、経路Ｂｊに対応する光ファイバの識別子と遮断・接続状態と挙動情報の内容などを対応付けして記憶していく。このような一連の経路設定制御と遮断接続制御を他の光伝送装置の組み合わせ（Ｒｉａ-Ｒｍｂ）でも行う。それによって、多種多様な光伝送装置の組み合わせでの光通信について、光伝送路の特性依存性を確認することができる。
【００５８】
＝＝＝動作検証システムのネットワーク構成について＝＝＝
＜情報処理部の構成＞
上記動作検証システムでは、ＰＣ１０１がＬＡＮ１０２を介して、遮断接続装置１やマトリクススイッチ（ＭＸ１，ＭＸ２）などのシステム構成要素を制御するとともに、光伝送装置（Ｒｎａ，Ｒｎｂ）も制御して、通信の開始や終了などを指示していた。この構成に限らず、例えば、光伝送装置（Ｒｎａ，Ｒｎｂ）の制御や挙動情報の解析は、別のコンピュータに実行させてもよい。すなわち、情報処理部は、システム構成要素を制御する装置と伝送装置を制御する別の装置とで構成されていてもよい。そして、この別の装置としては、例えば、パケット送受信装置、負荷装置、パフォーマンス測定装置、通信性能評価装置、トラフィック生成装置、ＩＰテスト装置などと呼ばれる解析装置がある。
【００５９】
図１０にこの解析装置（以下、パケット送受信装置）を含んだネットワーク構成の一例を示した。この図では、第１の実施例におけるネットワーク構成の変更例が示されており、互いに通信する２台１組の伝送装置（Ｒｎａ−Ｒｎｂ）間の光伝送路に遮断接続装置１が介在している。そして、パケット送受信装置１０３は、例えば、多数のEthernet用ポートを備え、各光伝送装置とＬＡＮ１０２経由せずにEthernet用の１００ＢＡＳＥ-Ｔｘ規格の通信ケーブル１０４を介して直接通信可能に接続されている。その一方で、パケット送受信装置１０３は、ＬＡＮ１０２を介してＰＣ１０１とも通信可能に接続されている。
【００６０】
ＰＣ１０１は、ＬＡＮ１０２を介してパケット送受信装置１０３に光伝送装置（Ｒｎａ，Ｒｎｂ）間での通信を開始させるように指示するとともに、遮断接続装置１を制御して光路の遮断・接続を行わせる。パケット送受信装置１０３は、ＰＣ１０１からの指示に従って、光伝送装置（Ｒｎａ，Ｒｎｂ）に対し、所定のパケットを送信させたり、各光伝送装置（Ｒｎａ，Ｒｎｂ）が通信相手の光伝送装置（Ｒｎｂ，Ｒｎａ）から受信したパケットを通信ケーブル１０４を介して送信させたりする。すなわち、光伝送装置（Ｒｎａ，Ｒｎｂ）間でやりとりされるパケットを監視する。
【００６１】
そして、これらのパケットを解析し、その解析結果（正常か否か、異常の内容など）をＬＡＮ１０２を介してＰＣ１０１に出力する。ＰＣ１０１は、光路の切り替えや遮断・接続状態と、パケット送受信装置１０３からの解析結果との関係を記憶したり、後段の情報処理に受け渡したりする。すなわち、光伝送装置（Ｒｎａ，Ｒｎｂ）が出力するパケットを挙動情報とする。もちろん、パケット送受信装置１０３が、監視中のパケットをＰＣ１０１に転送してもよい。
【００６２】
また、図１１に示したように、光伝送装置（Ｒｎａ，Ｒｎｂ）をＬＡＮ１０２とパケット送受信装置１０３の双方に接続し、光伝送装置（Ｒｎａ，Ｒｎｂ）が光伝送路（Ａｎ−Ｂｎ）を介してやりとりするパケットについてはパケット送受信装置１０３における監視対象や解析対象とし、光伝送路（Ａｎ−Ｂｎ）の遮断接続状態に応じて伝送装置（Ｒｎａ，Ｒｎｂ）が出力する上記パケットとは別の情報については、挙動情報としてＰＣ１０１がＬＡＮ１０２を介して伝送装置（Ｒｎａ，Ｒｎｂ）から受信する構成としてもよい。
【００６３】
＜ネットワークの種類＞
上記動作検証システムでは、ＰＣ１０１などの情報処理部と、遮断接続装置１やマトリクススイッチ（ＭＸ１，ＭＸ２）などのシステム構成要素は、ＬＡＮ１０２を通信ネットワークとして構成されていたが、この通信ネットワークは、ＵＳＢなどの汎用の通信インタフェースとハブなどの分岐装置を用いて構成することもできる。もちろん、パケット送受信装置１０３を含む動作検証システムでは、パケット送受信装置１０３とＰＣ１０１間の通信規格も適宜に設定できる。
【００６４】
また、光伝送装置（Ｒｎａ，Ｒｎｂ）とＰＣ１０１間のＬＡＮ１０２をインターネットやイントラネットなどの既設のネットワークに接続することも可能である。例えば、第１〜第５の実施例のネットワーク構成において、ＰＣ１０１は、ＬＡＮ１０２を介して遮断接続装置１やマトリクススイッチ（ＭＸ１，ＭＸ２）と通信するとともに、ＬＡＮ１０１上に別途設置されたルータを介してインターネットなどのＴＣＰ/ＩＰネットワークに接続し、光伝送装置（Ｒｎａ，Ｒｎｂ）もそのＴＣＰ/ＩＰネットワーク上に設置しておく。それによって、光伝送装置（Ｒｎａ，Ｒｎｂ）とＰＣとがＴＣＰ/ＩＰネットワークを介して通信可能となる。なお、光伝送装置（Ｒｎａ，Ｒｎｂ）と動作検証システム（１００ａ〜１００ｃ）間の経路は、例えば、出荷検査用や製品開発用に設けられた短距離の光ファイバを用いてもよいし、商用ネットワークの一部となる長距離の架設済みの光ファイバを用いてもよい。
【産業上の利用可能性】
【００６５】
この発明は、光伝送路を介して通信する光伝送装置の動作検証を行う用途などに利用可能である。
【符号の説明】
【００６６】
１  光伝送路遮断接続装置、２  筐体、１０  スイッチング制御部、
１１  通信インタフェース、２０ｔ，２０ｒ  １×１光スイッチ、
３１ｔ，３１ｒ，３２ｔ，３２ｒ，３３  光アダプタ、
３４，１３１ｔ，１３１ｒ，１３２ｔ，１３２ｒ  光コネクタ、
４０  ＬＡＮポート、５０  表示器、６０  電源、７０  電源ボタン、
１００ａ〜１００ｃ  光伝送装置動作検証システム、１０１  ＰＣ、
１０２  ＬＡＮ、１０３  パケット送受信装置、１２０  ２×８光スイッチ、
１０４  通信ケーブル、Ｆｔ１〜Ｆｔ７，Ｆｒ１〜Ｆｒ７  光ファイバ、
ＭＸ１，ＭＸ２  マトリクススイッチ、
Ｒ１ａ〜Ｒ４ａ,Ｒ１ｂ〜Ｒ４ｂ  光伝送装置、
ＳＬ１〜ＳＬ４  光路選択装置、ＳＷ１〜ＳＷ４  光スイッチ対
【図１】
2011010226.tif 000003
【図２】
2011010226.tif 000004
【図３】
2011010226.tif 000005
【図４】
2011010226.tif 000006
【図５】
2011010226.tif 000007
【図６】
2011010226.tif 000008
【図７】
2011010226.tif 000009
【図８】
2011010226.tif 000010
【図９】
2011010226.tif 000011
【図１０】
2011010226.tif 000012
【図１１】
2011010226.tif 000013
【図１２】
2011010226.tif 000014